(57)【要約】【課題】競技（競輪）ファンを拡大する。【解決手段】競技ファンに対して情報を提供する装置である情報提供装置１０は、取得手段１１で非失格審議対象者を特定可能なレース結果情報２０を所定の競技者が出場した所定のレースについて取得し、特定手段１２でレース結果情報２０に基づいて、所定の競技者が非失格審議対象者に該当するか否か、すなわち、所定の競技者が審議対象になりかつ失格にならなかった出場者であるか否かを判定し、判定結果３０に基づいて所定のレースにおける所定の競技者の非失格審議対象回数４０を特定し、出力手段１３で非失格審議対象回数４０を出力する。【選択図】図１
2018116331.tif 000002
【特許請求の範囲】
【請求項１】
失格か否かの判定の対象となりかつ失格にならなかった非失格審議対象者を特定可能なレース結果情報を、所定の競技者が出場した所定のレースについて取得する取得手段と、
前記レース結果情報に基づいて、前記所定の競技者が前記非失格審議対象者に該当するか否かを判定し、判定結果に基づいて前記所定のレースにおける前記所定の競技者が失格か否かの判定の対象となりかつ失格にならなかった非失格審議対象回数を特定する特定手段と、
前記非失格審議対象回数を出力する出力手段と、
を備える情報提供装置。
【請求項２】
前記所定のレースは、前記所定の競技者が所定期間内に出場したレースであり、
前記特定手段は、前記所定期間内における前記所定の競技者の前記非失格審議対象回数を特定する、
請求項１に記載の情報提供装置。
【請求項３】
前記所定のレースは、前記所定の競技者が出場した所定数のレースであり、
前記特定手段は、前記所定数のレースにおける前記所定の競技者の前記非失格審議対象回数を特定する、
請求項１に記載の情報提供装置。
【請求項４】
前記所定の競技者は開催予定のレースに出場する出場者であり、
前記所定のレースは、レースで組まれたラインにおける前記所定の競技者の役割が、前記開催予定のレースで組まれる予定のラインにおける前記所定の競技者の役割と一致するレースである、
請求項１に記載の情報提供装置。
【請求項５】
前記所定の競技者は開催予定のレースに出場する出場者であり、
前記所定のレースは、レースで組まれたラインにおける前記所定の競技者の位置取りが、前記開催予定のレースで組まれる予定のラインにおける前記所定の競技者の位置取りと一致するレースである、
請求項１に記載の情報提供装置。
【請求項６】
前記取得手段は、開催予定のレースで組まれるラインに関するライン情報を取得し、
前記特定手段は、前記開催予定のレースに出場する各競技者の前記非失格審議対象回数を特定し、前記ライン情報に基づいて前記非失格審議対象回数が最も多い競技者と同じラインに属する競技者を特定し、特定した競技者を投票対象とする投票内容を特定し、
前記出力手段は、前記非失格審議対象回数が最も多い競技者が妨害を成功した場合に有力な投票内容として特定した投票内容を出力する、
請求項１に記載の情報提供装置。
【請求項７】
コンピュータが、
失格か否かの判定の対象となりかつ失格にならなかった非失格審議対象者を特定可能なレース結果情報を、所定の競技者が出場した所定のレースについて取得し、
前記レース結果情報に基づいて、前記所定の競技者が前記非失格審議対象者に該当するか否かを判定し、判定結果に基づいて前記所定のレースにおける前記所定の競技者が失格か否かの判定の対象となりかつ失格にならなかった非失格審議対象回数を特定し、
前記非失格審議対象回数を出力する、
処理を実行する、情報提供方法。
【請求項８】
コンピュータに、
失格か否かの判定の対象となりかつ失格にならなかった非失格審議対象者を特定可能なレース結果情報を、所定の競技者が出場した所定のレースについて取得させ、
前記レース結果情報に基づいて、前記所定の競技者が前記非失格審議対象者に該当するか否かを判定させ、判定結果に基づいて前記所定のレースにおける前記所定の競技者が失格か否かの判定の対象となりかつ失格にならなかった非失格審議対象回数を特定させ、
前記非失格審議対象回数を出力させる、
処理を実行させる、情報提供プログラム。
【発明の詳細な説明】
【技術分野】
【０００１】
本発明は、情報提供装置、情報提供方法および情報提供プログラムに関する。
【背景技術】
【０００２】
競艇、競輪、競馬、オートレース等の公営競技場の運営は、投票券の売上に依存するため、顧客である競技ファンに対するサービス向上に努めている。
たとえば、競技ファンは、競技者の着順を予想した投票券を購入することから、公営競技場の運営は、その予想の参考となる情報（過去のデータ等）を情報開示システムにより提供することで、投票券の購入動機の向上を図っている。
【０００３】
ところで競輪は、競馬等の公営競技と異なり、レースを有利に展開するため（有利な位置取りをするため）に競技者が他の競技者に対して一定程度接触して、妨害行為（ブロックや競り）を行うことが許容されている。
【０００４】
このような妨害行為は、他の公営競技にはない競輪ならではの興趣を生じさせるとともに、レース展開を複雑にしてレース展開に多大な影響を与える。したがって、着順の予想をするうえで、競技者の妨害手腕や妨害スタンスを把握することは重要であった。
【０００５】
そのため、競技ファンは、たとえば、提供されている過去のレースの映像を見て各競技者の妨害手腕や妨害スタンスの把握を行っている。
【先行技術文献】
【特許文献】
【０００６】
【特許文献１】特開２０１４−８５９８７号公報
【発明の概要】
【発明が解決しようとする課題】
【０００７】
しかしながら、過去のレースの映像を見て妨害手腕や妨害スタンスを把握することは、競技ファンによっては（たとえば、初心者には）ハードルが高く、他の公営競技にない競輪ならではの要素である妨害が、初心者が競輪を敬遠する理由の１つとなり、競輪にとって競技ファンの拡大が進まないという問題を有していた。
【０００８】
本発明は、このような点に鑑みてなされたものであり、競技（競輪）ファンを拡大可能な情報提供装置、情報提供方法、および情報提供プログラムを提供することを目的とする。
【課題を解決するための手段】
【０００９】
上記課題を解決するために、情報提供装置を提供する。情報提供装置は、取得手段と、特定手段と、出力手段と、を備える。取得手段は、失格か否かの判定の対象となりかつ失格にならなかった非失格審議対象者を特定可能なレース結果情報を、所定の競技者が出場した所定のレースについて取得する。特定手段は、レース結果情報に基づいて、所定の競技者が非失格審議対象者に該当するか否かを判定し、判定結果に基づいて所定のレースにおける所定の競技者が失格か否かの判定の対象となりかつ失格にならなかった非失格審議対象回数を特定する。出力手段は、非失格審議対象回数を出力する。
【００１０】
また、上記課題を解決するために、コンピュータが実行する情報提供方法を提供する。情報提供方法では、コンピュータが、失格か否かの判定の対象となりかつ失格にならなかった非失格審議対象者を特定可能なレース結果情報を、所定の競技者が出場した所定のレースについて取得し、レース結果情報に基づいて、所定の競技者が非失格審議対象者に該当するか否かを判定し、判定結果に基づいて所定のレースにおける所定の競技者が失格か否かの判定の対象となりかつ失格にならなかった非失格審議対象回数を特定し、非失格審議対象回数を出力する、処理を実行する。
【００１１】
また、上記課題を解決するために、コンピュータに実行させる情報提供プログラムを提供する。情報提供プログラムは、コンピュータに、失格か否かの判定の対象となりかつ失格にならなかった非失格審議対象者を特定可能なレース結果情報を、所定の競技者が出場した所定のレースについて取得させ、レース結果情報に基づいて、所定の競技者が非失格審議対象者に該当するか否かを判定させ、判定結果に基づいて所定のレースにおける所定の競技者が失格か否かの判定の対象となりかつ失格にならなかった非失格審議対象回数を特定させ、非失格審議対象回数を出力させる、処理を実行させる。
【発明の効果】
【００１２】
本発明の情報提供装置、情報提供方法および情報提供プログラムによれば、競技（競輪）ファンを拡大できる。
【図面の簡単な説明】
【００１３】
【図１】第一実施形態における情報提供装置の構成を示す図である。
【図２】第二実施形態におけるトータリゼータシステムの構成例を示す図である。
【図３】第二実施形態における表示情報配信装置のハードウェアの構成例を示す図である。
【図４】第二実施形態における表示情報配信装置の機能ブロックを示す図である。
【図５】第二実施形態におけるレース情報の一例を示す図である。
【図６】第二実施形態における競技者情報の一例を示す図である。
【図７】第二実施形態におけるレース結果情報の一例を示す図である。
【図８】第二実施形態における出走表生成処理のフローチャートを示す図である。
【図９】第二実施形態における失格・非失格審議対象回数特定処理のフローチャートを示す図である。
【図１０】第二実施形態における出走表の一例を示す図である。
【発明を実施するための形態】
【００１４】
以下、本発明の実施形態について図面を参照して説明する。
［第一実施形態］
まず、第一実施形態の概要について図１を用いて説明する。図１は、第一実施形態における情報提供装置の構成を示す図である。
【００１５】
情報提供装置１０は、競技ファンに対して情報を提供する装置である。情報提供装置１０は、取得手段１１と、特定手段１２と、出力手段１３とを備える。
取得手段１１は、レース結果情報２０を、所定の競技者が出場した所定のレースについて取得する。レース結果情報２０は、所定の競技者（選手）が過去に出場したレースの結果に関する情報であって、当該レースにおける非失格審議対象者を特定可能な情報である。非失格審議対象者は、失格か否かの判定の対象となりかつ失格にならなかった出場者（審議対象となりかつ失格にならなかった出場者）である。
【００１６】
たとえば、取得手段１１は、所定の競技者が出場したレースのうち、所定期間内（たとえば、１年間以内）に開催されたレースのレース結果情報２０を取得する。または、取得手段１１は、所定の競技者が出場したレースのうち、所定数のレース（たとえば、直近５０レース）のレース結果情報２０を取得する。
【００１７】
特定手段１２は、取得したレース結果情報２０に基づいて、所定の競技者が非失格審議対象者に該当するか否か、すなわち、所定の競技者が審議対象になりかつ失格にならなかった出場者であるか否かを判定する。また、特定手段１２は、判定結果３０に基づいて所定のレースにおける所定の競技者の非失格審議対象回数４０を特定する。非失格審議回数は、失格か否かの判定の対象となりかつ失格にならなかった回数である。
【００１８】
たとえば、取得手段１１が、所定の競技者が出場したレースのうち、所定期間内に開催されたレースのレース結果情報２０を取得した場合には、特定手段１２は、所定期間内（所定期間内のレース）における競技者の非失格審議対象回数４０を特定する。また、取得手段１１が、所定の競技者が出場したレースのうち、所定数のレースのレース結果情報２０を取得した場合には、特定手段１２は、所定数のレースにおける競技者の非失格審議対象回数４０を特定する。
【００１９】
出力手段１３は、非失格審議対象回数４０を出力する。たとえば、出力手段１３は、表示画像により非失格審議対象回数４０を出力することで、競技ファンに提供する。
以上が第一の実施形態における情報提供装置１０である。このように情報提供装置１０は、競技者の非失格審議対象回数４０を特定して出力するため、競技ファンに非失格審議対象回数４０を提供できる。
【００２０】
一般に、競輪では、一定程度の妨害行為が許容されているが、競技者は、他の競技者に一定程度を超える妨害を行った可能性が有る場合には審議対象となり、審議の結果、一定程度を超える妨害を行ったと判定されると失格となる。
【００２１】
そのため、競技者がレースにおいて非失格審議対象となっている場合には、当該レースにおいて当該競技者が妨害行為により他の競技者（レース）に多大な影響を与えたといえる。したがって、情報提供装置１０は、非失格審議対象回数４０を提供することで、各競技者がきわどい妨害行為（失格にならずに他の競技者（レース）に多大な影響を与えた妨害行為）を行った実績を競技ファンが把握することをサポートできる。
【００２２】
また、一般に、積極的に妨害行為を行う競技者ほど審議対象になる回数が多くなる。したがって、情報提供装置１０は、非失格審議対象回数４０を提供することで、競技者が妨害行為を積極的に行う傾向（リスクを負った妨害行為を行う傾向）のある競技者であるか競技ファンが把握することをサポートできる。
【００２３】
すなわち、情報提供装置１０は、非失格審議対象回数４０を提供することで、競技者が過去のレースにおいて発揮した妨害手腕や、競技者の過去のレースにおける妨害スタンスを競技ファンが把握することをサポートできる。このように、競技者が過去のレースにおいて発揮した妨害手腕や、競技者の過去のレースにおける妨害スタンスを競技ファンが把握することをサポートすることで、情報提供装置１０は、競技ファンが妨害の観点を着順の予想に取り入れやすくできる。これにより、情報提供装置１０は、初心者等の競輪に対するハードルを下げ、新規ファンの獲得および定着を促し、競技ファンを拡大できる。
【００２４】
また、非失格審議対象回数４０は、審議の結果失格にならなかった回数であるため、失格になり得た失格未遂回数であるともいえる。したがって、情報提供装置１０は、非失格審議対象回数４０を提供することで、結果（失格）としては表れていない未遂回数を競技ファンに把握させることができる。これにより、情報提供装置１０は、たとえば、競技ファンがレースに出場する競技者の失格リスクを過去のレースの結果に基づいて予測することをサポートできる。
【００２５】
［第二実施形態］
次により具体的に第二実施形態を用いて説明する。図２は、第二実施形態におけるトータリゼータシステムの構成例を示す図である。
【００２６】
トータリゼータシステム１００は、公営競技の運営を統括的に管理するシステムである。具体的には、トータリゼータシステム１００は、選手に関する情報の管理、オッズの算出、投票券の票数の集計、配当金の計算、競技ファン（利用者）に対する公営競技に関する情報の提供などを管理するシステムである。
【００２７】
トータリゼータシステム１００は、ネットワーク５００を介して互いに接続するホストコンピュータ２００と、表示情報配信装置３００と、表示装置４００とを備える。
ホストコンピュータ２００は、システム全体を管理する装置であり、データセンタ等に備えられ、公営競技に関する情報の集計および公営競技に関する情報の管理を行う。ホストコンピュータ２００は、図示しない投票券発券機等から投票券の売上を集計し、オッズや売上順位などの売上に関する売上情報を管理する。また、ホストコンピュータ２００は、選手の所属などの選手に関する情報や、過去に開催されたレースの結果などを管理する。
【００２８】
表示情報配信装置３００は、競技ファンに提供する表示情報（画像）を表示装置４００に配信する装置である。表示情報配信装置３００は、ホストコンピュータ２００から各種情報を取得し、各種情報に基づいて競技ファンに提供する表示情報を生成し、生成した表示情報を配信（出力）する。なお、以下では特に、開催予定のレースの出走表（開催される予定のレースの概要などを表示する情報）を表示情報として配信する例を用いて説明する。
【００２９】
表示装置４００は、表示情報を表示する装置であり、競技ファンに表示情報を提供する。表示装置４００は、公営競技場内に備えられ、表示情報配信装置３００と接続し、表示情報配信装置３００が生成した表示情報を競技ファンに提供する。表示装置４００としては、たとえば、オッズを表示するオッズモニタや、座席に備え付けられたモニタや、公営競技場のメインモニタなどがある。
【００３０】
次に、表示情報配信装置３００のハードウェア構成について図３を用いて説明する。図３は、第二実施形態における表示情報配信装置のハードウェアの構成例を示す図である。
表示情報配信装置３００は、プロセッサ３０１によって装置全体が制御されている。プロセッサ３０１には、バス３０９を介してＲＡＭ（Random Access Memory）３０２と複数の周辺機器が接続されている。プロセッサ３０１は、マルチプロセッサであってもよい。プロセッサ３０１は、たとえばＣＰＵ、ＭＰＵ、ＤＳＰ（Digital Signal Processor）、ＡＳＩＣ（Application Specific Integrated Circuit）、またはＰＬＤ（Programmable Logic Device）である。またプロセッサ３０１は、ＣＰＵ、ＭＰＵ、ＤＳＰ、ＡＳＩＣ、ＰＬＤのうちの２以上の要素の組み合わせであってもよい。
【００３１】
ＲＡＭ３０２は、表示情報配信装置３００の主記憶装置として使用される。ＲＡＭ３０２には、プロセッサ３０１に実行させるＯＳ（Operating System）のプログラムやアプリケーションプログラムの少なくとも一部が一時的に格納される。また、ＲＡＭ３０２には、プロセッサ３０１による処理に必要な各種データが格納される。
【００３２】
バス３０９に接続されている周辺機器としては、ＨＤＤ（Hard Disk Drive）３０３、グラフィック処理装置３０４、入出力インタフェース３０５、光学ドライブ装置３０６、機器接続インタフェース３０７およびネットワークインタフェース３０８がある。
【００３３】
ＨＤＤ３０３は、内蔵したディスクに対して、磁気的にデータの書き込みおよび読み出しを行う。ＨＤＤ３０３は、表示情報配信装置３００の補助記憶装置として使用される。ＨＤＤ３０３には、ＯＳのプログラム、アプリケーションプログラム、および各種データが格納される。なお、補助記憶装置としては、フラッシュメモリなどの半導体記憶装置を使用することもできる。
【００３４】
グラフィック処理装置３０４には、ディスプレイ３０４ａが接続されている。グラフィック処理装置３０４は、プロセッサ３０１からの命令に従って、画像をディスプレイ３０４ａの画面に表示させる。ディスプレイ３０４ａとしては、ＣＲＴ（Cathode Ray Tube）を用いた表示装置や液晶表示装置などがある。
【００３５】
入出力インタフェース３０５には、キーボード３０５ａとマウス３０５ｂとが接続されている。入出力インタフェース３０５は、キーボード３０５ａとマウス３０５ｂから送られてくる信号をプロセッサ３０１に送信する。
【００３６】
なお、マウス３０５ｂは、ポインティングデバイスの一例であり、他のポインティングデバイスを使用することもできる。他のポインティングデバイスとしては、タッチパネル、タブレット、タッチパッド、トラックボールなどがある。なお、入出力装置としては、キーボード３０５ａとマウス３０５ｂに加え、スコアボード入力用の専用操作盤などを備えていてもよい。
【００３７】
光学ドライブ装置３０６は、レーザ光などを利用して、光ディスク３０６ａに記録されたデータの読み取りを行う。光ディスク３０６ａは、光の反射によって読み取り可能なようにデータが記録された可搬型の記録媒体である。光ディスク３０６ａには、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）などがある。
【００３８】
機器接続インタフェース３０７は、表示情報配信装置３００に周辺機器を接続するための通信インタフェースである。たとえば機器接続インタフェース３０７には、メモリ装置３０７ａやメモリリーダライタ３０７ｂを接続することができる。メモリ装置３０７ａは、機器接続インタフェース３０７との通信機能を搭載した記録媒体である。メモリリーダライタ３０７ｂは、メモリカード３０７ｃへのデータの書き込み、またはメモリカード３０７ｃからのデータの読み出しを行う装置である。メモリカード３０７ｃは、カード型の記録媒体である。
【００３９】
ネットワークインタフェース３０８は、ネットワーク５００に接続されている。ネットワークインタフェース３０８は、ネットワーク５００を介して、ホストコンピュータ２００との間でデータの送受信を行う。また、ネットワークインタフェース３０８は、ネットワーク５００を介して、表示装置４００との間でデータの送受信を行う。
【００４０】
以上のようなハードウェア構成によって、第二実施形態の処理機能を実現することができる。なお、第一実施形態に示した装置も、図３に示した表示情報配信装置３００と同様のハードウェアにより実現することができる。
【００４１】
次に表示情報配信装置３００の機能について説明する。図４は、第二実施形態における表示情報配信装置の機能ブロックを示す図である。
表示情報配信装置３００は、レース情報取得部３１０と、競技者情報取得部３２０と、レース結果情報取得部３３０と、回数特定部３４０と、提供投票取得部３５０と、表示情報生成部３６０と、通信制御部３７０と、を備える。
【００４２】
レース情報取得部３１０は、開催予定のレース（競技ファンに提供する出走表の対象であるレース）に関するレース情報をホストコンピュータ２００から取得する。ここでレース情報について図５を用いて説明する。図５は、第二実施形態におけるレース情報の一例を示す図である。
【００４３】
図５に示すようにレース情報３１０ａは、開催日の項目と、開催場の項目と、レース名称の項目と、グレードの項目と、レース番号の項目と、競技者の項目と、ライン情報の項目とを含んで構成される。
【００４４】
開催日の項目には、レースが開催される開催日を示す情報が格納される。開催場の項目には、レースが開催される開催場を示す情報が格納される。レース名称の項目には、レースの名称を示す情報が格納される。競輪は、勝ち上がり方式であるため１開催（予選〜決勝）あたりの開催日数が２〜６日間と数日にわたる。そのため、同一開催期間内に開催されるレースのレース名称の項目には、同一のレースの名称を示す情報が格納される。
【００４５】
グレードは、開催されるレースの格付けである。グレードの項目には、ＧＰ、Ｇ１、Ｇ２、Ｇ３、Ｆ１、Ｆ２のいずれかが格納される。レース番号の項目には、レースが開催される番号（順番）を示す情報が格納される。競技者の項目は、車番１の項目、車番２の項目、…、車番９の項目を含んで構成され、各車番の項目には、各車番に対応するレースに出場する競技者を示す情報が格納される。
【００４６】
ライン情報は、レースで組まれるラインに関する情報である。ライン情報の項目には、レースで組まれる予定のラインの数、各ラインを構成する競技者および各ラインにおける競技者の位置取り（並び）を特定可能な情報が格納される。なお、ライン情報の項目に格納される情報は、脚みせと呼ばれるレースに出場する競技者がレース前に行う２周程度の自由走行における各競技者による示唆（予告）に基づく情報である。
【００４７】
たとえば、レース情報３１０ａは、開催予定のレースの開催日が「２０１６年１月４日」であり、開催予定のレースが開催される開催場が「×〇△」であり、開催予定のレースの名称が「〇□決定戦」であり、開催予定のレースのグレードが「Ｆ１」であり、開催予定のレースの番号が「４Ｒ」であることを示す。
【００４８】
また、レース情報３１０ａは、開催予定のレースに出場する車番１の競技者が「ＡＢＣ」、車番２の競技者が「ＤＥＦ」、…、車番９の競技者が「ＹＺ」であり、開催予定のレースでは、「車番１」、「車番２」、「車番３」の競技者が「車番２」、「車番３」、「車番１」の順番で並んで組むラインと、「車番４」、「車番５」、「車番６」の競技者が「車番４」、「車番５」、「車番６」の順番で並んで組むラインと、「車番７」、「車番８」、「車番９」の競技者が「車番７」、「車番８」、「車番９」の順番で並んで組むラインとが組まれることを示す。図４に戻って表示情報配信装置３００が備える機能についての説明を継続する。
【００４９】
競技者情報取得部３２０は、開催予定のレースに出場する競技者（以下、出場競技者）それぞれについての競技者情報をホストコンピュータ２００から取得する。競技者情報は、競技者に関する情報である。ここで競技者情報について図６を用いて説明する。図６は、第二実施形態における競技者情報の一例を示す図である。
【００５０】
図６に示すように競技者情報３２０ａは、競技者名の項目と、期別の項目と、出身地の項目と、級班の項目と、戦法の項目と、平均競争得点の項目とを含んで構成される。
競技者名の項目には、競技者の名称を示す情報が格納される。期別は、競技者が競輪学校を卒業した期別である。期別の項目には、競技者が競輪学校を卒業した期別を示す情報が格納される。出身地の項目には、競技者の出身地を示す情報が格納される。級班は、競技者の階級である。級班の項目にはＳＳ、Ｓ１、Ｓ２、Ａ１、Ａ２、Ａ３の何れかが格納される。
【００５１】
戦法は、競技者の得意とする戦法である。戦法の項目には、競技者が得意とする戦法が追込みである場合には「追」、捲りである場合には「捲」、先行である場合には「先」が格納される。平均競争得点は、一定期間内の競走得点の合計を出走回数で割った平均点であり、競技者の実力を示す指標である。平均競争得点の項目には、競技者の平均競争得点を示す情報が格納される。
【００５２】
たとえば、競技者情報３２０ａは、競技者名が「ＡＢＣ」である競技者についての競技者情報であり、当該競技者の期別が「１００」、出身地が「北海道」、級班が「Ａ１」、戦法が「追」、平均競争得点が「１００．００」であることを示す。図４に戻って表示情報配信装置３００が備える機能についての説明を継続する。
【００５３】
レース結果情報取得部３３０は、出場競技者が過去に出場したレースのうち、所定のレースのレース結果情報をホストコンピュータ２００から取得する。レース結果情報は、レースの結果に関する情報であって、レースにおける非失格審議対象者および失格者を特定可能な情報である。レース結果情報は、たとえば、レースが終了する毎に所定の係員によって入力された情報である。
【００５４】
たとえば、レース結果情報取得部３３０は、出場競技者が過去の所定の期間内に出場したレースのレース結果情報を取得する。または、レース結果情報取得部３３０は、出場競技者が過去に出場した所定数のレースのレース結果情報を取得する。なお、以下では、レース結果情報取得部３３０は、出場競技者が一年間以内に出場したレースのレース結果情報を取得するものとして説明する。ここでレース結果情報について図７を用いて説明する。
【００５５】
図７は、第二実施形態におけるレース結果情報の一例を示す図である。図７に示すようにレース結果情報３３０ａは、開催日の項目と、開催場の項目と、レース名称の項目と、グレードの項目と、レース番号の項目と、競技者の項目と、ライン情報の項目と、１着の項目と、２着の項目と、３着の項目と、失格者の項目と、非失格審議対象者の項目とを含んで構成される。
【００５６】
開催日の項目には、レースが開催された開催日を示す情報が格納される。開催場の項目には、レースが開催された開催場を示す情報が格納される。レース名称の項目には、レースの名称を示す情報が格納される。グレードの項目には、ＧＰ、Ｇ１、Ｇ２、Ｇ３、Ｆ１、Ｆ２のいずれかが格納される。レース番号の項目には、レースが開催された番号（順番）を示す情報が格納される。競技者の項目は、車番１の項目、車番２の項目、…、車番９の項目を含んで構成され、各車番の項目に、各車番に対応するレースに出場した競技者を示す情報が格納される。
【００５７】
ライン情報の項目には、レースで組まれるラインの数、各ラインを構成した競技者および各ラインにおける競技者の位置取り（並び）を特定可能な情報が格納される。１着，２着，３着は、レースの着順である。１着の項目には、レースで１着になった競技者に対応する車番が格納される。２着の項目には、レースで２着になった競技者に対応する車番が格納される。３着の項目には、レースで３着になった競技者に対応する車番が格納される。失格者の項目には、レースで失格となった競技者に対応する車番が格納される。
【００５８】
非失格審議対象者は、失格か否かの審議対象になりかつ失格にならなかった競技者である。非失格審議対象者の項目には、レースで失格か否かの審議対象になりかつ失格にならなかった競技者に対応する車番が格納される。
【００５９】
たとえば、レース結果情報３３０ａは、開催日が「２０１５年１月４日」であり、開催場が「×〇△」であり、レースの名称が「〇×記念杯」であり、グレードが「Ｆ１」であり、レース番号が「４Ｒ」であるレースのレース結果情報であることを示す。
【００６０】
また、レース結果情報３３０ａは、レースに出場した車番１の競技者が「ＡＢＣ」、車番２の競技者が「ＤＥＦ」、…、車番９の競技者が「ＡＣＤ」であり、「車番２」、「車番３」、「車番６」の競技者が「車番２」、「車番６」、「車番３」の順番で並んで組んだラインと、「車番１」、「車番４」、「車番５」の競技者が「車番４」、「車番５」、「車番１」の順番で並んで組んだラインと、「車番７」、「車番８」、「車番９」の競技者が「車番９」、「車番８」、「車番７」の順番で並んで組んだラインとがレースで組まれたことを示す。
【００６１】
また、レース結果情報３３０ａは、レースの１着が車番１の競技者であり、２着が車番４の競技者であり、３着が車番５の競技者であり、失格になった競技者がおらず、車番１の競技者が非失格審議対象者になったことを示す。図４に戻って表示情報配信装置３００が備える機能についての説明を継続する。
【００６２】
回数特定部３４０は、出場競技者が出場した所定のレース（たとえば、所定の期間内に開催されたレースまたは所定数のレース）における失格回数と、所定のレースにおける非失格審議対象回数を特定する。回数特定部３４０は、レース結果情報に基づいて出場競技者が出場した所定のレースそれぞれについて、出場競技者が失格者に該当するか否かおよび非失格審議対象者に該当するか否かを判定し、判定結果に基づいて出場競技者の所定のレースにおける失格回数と非失格審議対象回数を特定する。
【００６３】
なお、以下では、回数特定部３４０は、出場競技者が一年間以内に出場したレースのレース結果情報に基づいて、出場競技者の一年間以内における失格回数と、出場競技者の一年間以内における非失格審議対象回数と、出場競技者の同一開催期間内における非失格審議対象回数とを特定するものとして説明する。回数特定部３４０による出場競技者の一年間以内における失格回数と、出場競技者の一年間以内における非失格審議対象回数と、出場競技者の同一開催期間内における非失格審議対象回数との特定の詳細については後で図９を用いて説明する。
【００６４】
提供投票取得部３５０は、競技ファンに提供する投票内容（賭け式と投票対象の組合せ）とそのオッズとをホストコンピュータ２００から取得する。たとえば、提供投票取得部３５０は、競技ファンに提供する投票内容として、売り上げが高い人気の投票内容を取得する。また、提供投票取得部３５０は、競技ファンに提供する投票内容として、一年間の非失格審議対象回数が最も多い出場競技者と同一のラインに属する出場競技者（一年間の非失格審議対象回数が最も多い出場競技者がレースにおいて妨害を成功した場合に有利にレースを展開できる出場競技者）で構成された投票内容を取得する。
【００６５】
表示情報生成部３６０は、表示装置４００に配信する表示情報を生成する。表示情報生成部３６０は、取得したレース情報と、取得した競技者情報と、特定した出場競技者の一年間以内における失格回数と、特定した出場競技者の一年間以内における非失格審議対象回数と、特定した出場競技者の同一開催期間内における非失格審議対象回数と、取得した投票内容およびそのオッズと、に基づいて出走表を生成する。表示情報生成部３６０によって生成される出走表の詳細については後で図１０を用いて説明する。
【００６６】
通信制御部３７０は、ホストコンピュータ２００および表示装置４００との間で行う各種データの送受信を制御する。
次に出走表の生成の流れについて図８を用いて説明する。図８は、第二実施形態における出走表生成処理のフローチャートを示す図である。出走表生成処理は、表示装置４００に配信する、開催予定のレースの出走表を生成する処理である。
【００６７】
［ステップＳ１］レース情報取得部３１０は、開催予定のレースのレース情報をホストコンピュータ２００から取得する。
［ステップＳ２］競技者情報取得部３２０は、取得したレース情報に基づいて出場競技者を特定し、出場競技者それぞれについての競技者情報をホストコンピュータ２００から取得する。
【００６８】
［ステップＳ３］回数特定部３４０は、失格・非失格審議対象回数特定処理を行う。回数特定部３４０は、失格・非失格審議対象回数特定処理において、出場競技者の所定のレースにおける失格回数および非失格審議対象回数を特定する。失格・非失格審議対象回数特定処理の詳細については後で図９を用いて説明する。
【００６９】
［ステップＳ４］提供投票取得部３５０は、出走表において競技ファンに提供する投票内容とそのオッズとを取得する。提供投票取得部３５０は、競技ファンに提供する投票内容として、売り上げが高い人気の投票内容を取得する。また、提供投票取得部３５０は、競技ファンに提供する投票内容として、一年間の非失格審議対象回数が最も多い出場競技者と同一のラインに属する出場競技者（一年間の非失格審議対象回数が最も多い出場競技者がレースにおいて妨害を成功した場合に有利にレースを展開できる出場競技者）で構成された投票内容を取得する。
【００７０】
［ステップＳ５］表示情報生成部３６０は、ステップＳ１で取得したレース情報と、ステップＳ２で取得した競技者情報と、ステップＳ３で特定した出場競技者の所定のレースにおける失格回数および非失格審議対象回数と、ステップＳ４で取得した投票内容およびそのオッズと、に基づいて出走表を生成し、出走表生成処理を終了する。
【００７１】
次に、失格・非失格審議対象回数特定処理について図９を用いて説明する。図９は、第二実施形態における失格・非失格審議対象回数特定処理のフローチャートを示す図である。失格・非失格審議対象回数特定処理は、出走表生成処理のステップＳ３で行われる処理である。
【００７２】
［ステップＳ１１］回数特定部３４０は、出場競技者を１人選択する。
［ステップＳ１２］レース結果情報取得部３３０は、選択された出場競技者が１年間以内に出場したレースのレース結果情報をホストコンピュータ２００から取得する。
【００７３】
［ステップＳ１３］回数特定部３４０は、選択された出場競技者が１年間以内に出場したレースのうちから、レースを１つ選択する。
［ステップＳ１４］回数特定部３４０は、選択したレースの失格者と、選択した出場競技者とを比較し、選択した出場競技者が、失格者に該当するか判定する。
【００７４】
［ステップＳ１５］回数特定部３４０は、選択したレースの非失格審議対象者と、選択した出場競技者とを比較し、選択した出場競技者が、非失格審議対象者に該当するか判定する。
【００７５】
［ステップＳ１６］回数特定部３４０は、選択された出場競技者が１年間以内に出場した全てのレースについて、上記処理（ステップＳ１４およびステップＳ１５）を行ったか否かを判定する。
【００７６】
回数特定部３４０は、全てのレースについて上記処理を行ったと判定した場合にはステップＳ１７に進み、全てのレースについて上記処理を行っていないと判定した場合にはステップＳ１３に進む。
【００７７】
［ステップＳ１７］回数特定部３４０は、選択した出場競技者が一年間以内に出場したレースそれぞれに対して行ったステップＳ１４の処理結果（判定結果）に基づいて選択した出場競技者の一年間以内における失格回数を特定する。
【００７８】
［ステップＳ１８］回数特定部３４０は、選択した出場競技者が一年間以内に出場したレースそれぞれに対して行ったステップＳ１５の処理結果（判定結果）に基づいて選択した出場競技者の一年間以内における非失格審議対象回数を特定する。
【００７９】
［ステップＳ１９］回数特定部３４０は、選択した出場競技者が一年間以内に出場したレースのうちから開催予定のレースと同一開催期間に行われたレースを特定する。回数特定部３４０は、たとえば、レース名称と開催日とに基づいて開催予定のレースと同一開催期間に行われたレースを特定する。回数特定部３４０は、競技者が一年間以内に出場したレースのうち、レースの名称が開催予定のレースの名称と同じであって、開催日が開催予定のレースの開催日から一定の範囲内（たとえば、二週間以内）であるレースを同一開催期間に行われたレースと特定する。
【００８０】
［ステップＳ２０］回数特定部３４０は、特定した開催予定のレースと同一開催期間に行われたレースそれぞれに対して行ったステップＳ１５の処理結果（判定結果）に基づいて選択した出場競技者の同一開催期間内における非失格審議対象回数を特定する。
【００８１】
［ステップＳ２１］回数特定部３４０は、全ての出場競技者の一年間以内における失格回数、一年間以内における非失格審議対象回数および同一開催期間内における非失格審議対象回数を特定したか否かを判定する。
【００８２】
回数特定部３４０は、全ての出場競技者の一年間以内における失格回数、一年間以内における非失格審議対象回数および同一開催期間内における非失格審議対象回数を特定したと判定した場合には失格・非失格審議対象回数特定処理を終了し、特定していないと判定した場合にはステップＳ１１に進む。
【００８３】
次に表示情報生成部３６０が生成する出走表について説明する。図１０は、第二実施形態における出走表の一例を示す図である。
出走表６００は、レース概要表示部６０１と、出場競技者概要表示部６０２と、ライン概要表示部６０３と、提供投票表示部６０４とを含んで構成される。
【００８４】
レース概要表示部６０１は、レースの概要を表示する。レース概要表示部６０１は、レースが開催される開催場と、レース番号と、レース名称と、レースのグレードを表示する。
【００８５】
たとえば、レース概要表示部６０１は、レースが開催される開催場が「競輪場×〇△」であり、レース番号が「４Ｒ」であり、レース名称が「〇□決定戦」であり、レースのグレードが「Ｆ１」であることを表示する。
【００８６】
出場競技者概要表示部６０２は、出場競技者の概要を表示する。出場競技者概要表示部６０２は、レースに出場する競技者の車番と、競技者名と、期別と、出身地と、級班と、戦法と、平均競争得点と、今開催（同一開催期間内）における非失格審議対象回数と、１年間以内における非失格審議対象回数と、１年間以内における失格回数とを表示する。
【００８７】
たとえば、出場競技者概要表示部６０２は、期別が「７３」、出身地が「栃木」、級班が「Ａ３」、戦法が「先」、平均競争得点が「１０３．８３」、今開催（同一開催期間内）における非失格審議対象回数が「０」、１年間以内における非失格審議対象回数が「０」、１年間以内における失格回数が「０」である、競技者名「ＧＨＩ」の競技者が車番「３」で出場することを表示する。
【００８８】
ライン概要表示部６０３は、レースで組まれる予定のラインの概要を表示する。ライン概要表示部６０３は、レースで組まれる予定のラインの数、各ラインを構成する競技者および各ラインにおける競技者の位置取り（並び）を特定可能（把握可能）に表示する。なお、ライン概要表示部６０３は、１年間以内における非失格審議対象回数が最も多い出場競技者を、他の競技者と区別可能な態様で表示することにより、１年間以内における非失格審議対象回数が最も多い出場競技者を明示する。これにより、ライン概要表示部６０３は、非失格審議対象回数が最も多い出場競技者がどのラインに属しているかを競技ファンが特定可能（把握可能）にできる。
【００８９】
たとえば、ライン概要表示部６０３は、「車番２」の競技者、「車番３」の競技者および「車番１」の競技者の３人が上記順番で並んで構成する第１のラインと、「車番７」の競技者、「車番８」の競技者および「車番９」の競技者の３人が上記順番で並んで構成する第２のラインと、「車番４」の競技者、「車番５」の競技者および「車番６」の競技者の３人が上記順番で並んで構成する第３のラインとがレースにおいて組まれる予定であることを表示する。また、ライン概要表示部６０３は、１年間以内における非失格審議対象回数が最も多い出場競技者を示す「車番１」の表示を他の競技者を示す表示と区別可能な態様で表示する。
【００９０】
提供投票表示部６０４は、競技ファンに対して提供する投票内容（賭け式と投票対象の組合せ）と、そのオッズとを表示する。
提供投票表示部６０４は、１年間以内における非失格審議対象回数が最も多い出場競技者（車番１）が属するラインを構成する出場競技者（車番１，車番２，車番３）だけで構成された投票内容と、そのオッズとを１年間以内における非失格審議対象回数が最も多い出場競技者が妨害成功した場合の有力投票内容として表示する。これにより、提供投票表示部６０４は、妨害行為を成功した場合に同一ラインに属する出場競技者が有利にレースを展開できることを明示する。このように妨害行為を成功した場合に同一ラインに属する出場競技者が有利にレースを展開できることを明示することで、提供投票表示部６０４は、妨害行為が成功した場合にレースにどのように影響を与えるか競技ファンが特定可能（把握可能）にできる。
【００９１】
また、提供投票表示部６０４は、人気の投票内容と、そのオッズとを表示する。なお、提供投票表示部６０４は、１年間以内における非失格審議対象回数が最も多い出場競技者を示す表示を、他の競技者の表示と区別可能な態様で表示することにより、１年間以内における非失格審議対象回数が最も多い出場競技者を明示する。これにより、提供投票表示部６０４は、非失格審議対象回数が最も多い出場競技者が投票内容にどのように絡んでいるか競技ファンが特定可能（把握可能）にできる。
【００９２】
たとえば、提供投票表示部６０４は、１年間以内における非失格審議対象回数が最も多い出場競技者である車番１の属するラインを構成する出場競技者だけで構成された２連単「２−３」とそのオッズ「４５．７」と、２連単「３−２」とそのオッズ「５６．７」とを表示する。
【００９３】
また、提供投票表示部６０４は、１番人気の投票内容として２連複「４＝１」とそのオッズ「４．５」、２番人気の投票内容として２連複「４＝２」とそのオッズ「６．７」とを表示する。また、提供投票表示部６０４は、１年間以内における非失格審議対象回数が最も多い出場競技者を示す「車番１」の表示を他の競技者を示す表示と区別可能な態様で表示する。
【００９４】
以上が第二実施形態におけるトータリゼータシステム１００である。このように表示情報配信装置３００は、出場競技者の非失格審議対象回数を特定して出走表を生成して出力するため、競技ファンに非失格審議対象回数を提供できる。
【００９５】
これにより、表示情報配信装置３００は、出場競技者がきわどい妨害行為（失格にならずに他の競技者（レース）に多大な影響を与えた妨害行為）を行った実績を競技ファンが把握することをサポートできる。また、表示情報配信装置３００は、出場競技者が過去のレースにおいて発揮した妨害手腕や、競技者の過去のレースにおける妨害スタンスを競技ファンが把握することをサポートできる。このように、出場競技者が過去のレースにおいて発揮した妨害手腕や、競技者の過去のレースにおける妨害スタンスを競技ファンが把握することをサポートすることで、表示情報配信装置３００は、競技ファンが妨害の観点を着順の予想に取り入れやすくできる。
【００９６】
これにより、表示情報配信装置３００は、初心者等の競輪に対するハードルを下げ、新規ファンの獲得および定着を促し、競技ファンを拡大できる。
また、表示情報配信装置３００は、非失格審議対象回数を提供することで、結果（失格）としては表れていない未遂回数を競技ファンに把握させることができる。したがって、表示情報配信装置３００は、たとえば、失格回数と、非失格審議対象回数とを併せて提供することで競技ファンがレースに出場する競技者の失格リスクを過去のレースの結果に基づいて予測することをサポートできる。
【００９７】
なお、一般に、競技者は、ラインにおける役割によって、妨害スタンスを変える場合があることが知られている（たとえば、役割が風よけ（ラインの先頭）である場合よりも役割がブロック（ラインの先頭以外）である場合のほうが積極的に妨害行為を行うなど）。
【００９８】
したがって、ラインにおける出場競技者の役割が、開催予定のレースで組まれる予定のラインにおける出場競技者の役割と異なる過去のレースは、開催予定のレースにおける出場競技者が行う妨害行為を検討（予想）するうえで参考にならない可能性がある。
【００９９】
そこで、表示情報配信装置３００は、出場競技者が過去に出場したレースのうち、レースで組まれたラインにおける出場競技者の役割が、開催予定のレースで組まれる予定のラインにおける出場競技者の役割と一致するレースだけを非失格審議対象回数の特定に用いるようにしてもよい。
【０１００】
このように、出場競技者が過去に出場したレースのうち、レースで組まれたラインにおける出場競技者の役割が、開催予定のレースで組まれる予定のラインにおける出場競技者の役割と一致するレースだけを用いて非失格審議対象回数を特定することで、表示情報配信装置３００は、より開催予定のレースに即した情報を提供できる。
【０１０１】
なお、一般に、競技者は、ラインにおける役割が同じ場合であっても位置取りによって、妨害スタンスを変える場合があることが知られている（たとえば、役割がブロックである場合であってもラインの最後尾に位置取った場合の方が、ラインの真ん中に位置取った場合よりも積極的に妨害行為を行うなど）。
【０１０２】
したがって、ラインにおける出場競技者の位置取りが、開催予定のレースで組まれる予定のラインにおける出場競技者の位置取りと異なる過去のレースは、開催予定のレースにおける出場競技者が行う妨害行為を検討（予想）するうえで参考にならない可能性がある。
【０１０３】
そこで、表示情報配信装置３００は、出場競技者が過去に出場したレースのうち、レースで組まれたラインにおける出場競技者の位置取りが、開催予定のレースで組まれる予定のラインにおける出場競技者の位置取りと一致するレースだけを非失格審議対象回数の特定に用いるようにしてもよい。
【０１０４】
このように、出場競技者が過去に出場したレースのうち、レースで組まれたラインにおける出場競技者の位置取りが、開催予定のレースで組まれる予定のラインにおける出場競技者の位置取りと一致するレースだけを用いて非失格審議対象回数を特定することで、表示情報配信装置３００は、より開催予定のレースに即した情報を提供できる。
【０１０５】
また、ライン概要表示部６０３や提供投票表示部６０４に区別可能に表示する競技者は、今開催の非失格審議対象回数が最も多い競技者としてもよい。
なお、各競技者の所定レースにおける失格回数と所定レースにおける非失格審議対象回数の特定とを表示情報配信装置３００が行うとして説明したが、これに限らない。たとえば、ホストコンピュータ２００が行ってもよい。
【０１０６】
なお、上記の処理機能は、コンピュータによって実現することができる。その場合、装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク、磁気テープなどがある。光ディスクには、ＤＶＤ（Digital Versatile Disc）、ＤＶＤ−ＲＡＭ、ＣＤ−ＲＯＭ／ＲＷ（Compact Disc-Read Only Memory/ReWritable）などがある。光磁気記録媒体には、ＭＯ（Magneto-Optical disk）などがある。
【０１０７】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１０８】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【０１０９】
また、上記の処理機能の少なくとも一部を、ＤＳＰ、ＡＳＩＣ、ＰＬＤなどの電子回路で実現することもできる。
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。たとえば、実施形態に示される全構成要素を適宜組み合わせてもよい。さらに、異なる実施形態にわたる構成要素を適宜組み合わせてもよい。このような、発明の趣旨を逸脱しない範囲内において種々の変形や応用が可能である。
【符号の説明】
【０１１０】
１０  情報提供装置
１１  取得手段
１２  特定手段
１３  出力手段
２０  レース結果情報
３０  判定結果
４０  非失格審議対象回数
【図１】
2018116331.tif 000003
【図２】
2018116331.tif 000004
【図３】
2018116331.tif 000005
【図４】
2018116331.tif 000006
【図５】
2018116331.tif 000007
【図６】
2018116331.tif 000008
【図７】
2018116331.tif 000009
【図８】
2018116331.tif 000010
【図９】
2018116331.tif 000011
【図１０】
2018116331.tif 000012